(57)【要約】【課題】山で伐採した間伐材などの木材を、現場で容易に組み立てて利用できる土木構築物用ユニット、また擁壁、治山ダム、沈床など種々の土木構築物を容易に構築できるユニットを開発する。【解決手段】基板上に丸太材を井桁状や壁状に組み上げ、ボルトで基板に固定すし、構築物用ユニットを構成する。沈床、擁壁、治山ダムなどの構築に利用できる。基板、丸太材、連結材、ボルトなどによって現場で容易に組み立てることができるので、現場近くで伐採した間伐材などの丸太材を現場で組み立て使用できる。【選択図】      図１
2004270266.tif 000002
【特許請求の範囲】
【請求項１】
基板（８、１０、１１、１２）上に丸太材（１３）を複数段井桁状に組み上げ、該井桁状の丸太材（１３）の交叉部４カ所において基板（８、１０、１１、１２）と各丸太材（１３）とを、基板（８、１０、１１、１２）に立設され丸太材（１３）を縦方向に貫通するボルト（１６）で結合し、一体化したことを特徴とする土木構築物用ユニット
【請求項２】
略四辺形状の基板（８、１０、１１、１２）と、該基板（８、１０、１１、１２）の対向する２辺に丸太材（１３）を水平に積み上げて形成した２枚の対向する丸太壁（１４）と、該対向する丸太壁（１４）を連結する連結材（１５）とからなり、各丸太壁（１４）の丸太材（１３）は、基板（８、１０、１１、１２）に立設され丸太材（１３）を縦方向に貫通するボルト（１６）で基板（８、１０、１１、１２）と一体化され、前記連結材（１５）の両端部は前記ボルト（１６）で支持されていることを特徴とする土木構築物用ユニット
【請求項３】
略四辺形状の基板（８、１０、１１、１２）と、該基板（８、１０、１１、１２）の１辺に丸太材（１３）を水平に積み上げて形成した丸太壁（１４）と、該丸太壁（１４）の背面と前記基板（８、１０、１１、１２）の対向辺側を斜めに連結する連結材（１５）とからなり、前記丸太壁（１４）の各丸太材（１３）は、基板（８、１０、１１、１２）に立設され丸太材（１３）を縦方向に貫通するボルト（１６）で基板（８、１０、１１、１２）と一体化され、前記連結材（１５）の一端は前記ボルト（１６）で支持され他端は基板（８、１０、１１、１２）にボルト止めにて支持されていることを特徴とする土木構築物用ユニット
【請求項４】
略四辺形状の基板（８、１０、１１、１２）と、該基板（８、１０、１１、１２）の１辺に丸太材（１３）を水平に積み上げて形成した丸太壁（１４）と、前記基板（８、１０、１１、１２）の該丸太壁（１４）の対向する１辺に立設した金網壁（２０）と、対向する丸太壁（１４）と金網壁（２０）とを連結する連結材（１５）とからなり、前記丸太壁（１４）の各丸太材（１３）は、基板（８、１０、１１、１２）に立設され丸太材（１３）を縦方向に貫通するボルト（１６）で基板（８、１０、１１、１２）と一体化され、前記金網壁（２０）は基板（８、１０、１１、１２）上から立設したボルト（１６）に結束線（２１）などの任意の結合手段で結合され、前記連結材（１５）の一端は前記丸太壁（１４）側ののボルト（１６）に他端は前記金網壁（２０）側ののボルト（１６）に支持されていることを特徴とする土木構築物用ユニット
【請求項５】
略四辺形状の基板（８、１０、１１、１２）にボルト（１６）を立設し、該基板（８、１０、１１、１２）上において、ボルト孔（１９）を有する丸太材（１３）を該ボルト孔（１９）に前記ボルト（１６）を挿通して任意形状に組み立て、ボルト（１６）の上部をナット（１８）で締め付けて基板（８、１０、１１、１２）と丸太材（１３）とを一体化してなることを特徴とする土木構築物用ユニット
【請求項６】
請求項１〜５のいずれかのユニットにおいて、前記基板（１０、１１）がコンクリート製で、上面側にアンカーナット（１７）を植設したものであり、前記ボルト（１６）の下端を該アンカーナット（１７）に螺着して立設したことを特徴とする土木構築物用ユニット
【請求項７】
請求項１〜５のいずれかのユニットにおいて、前記基板（８）が複数のコンクリート塊（８ａ、８ｂ）をパイプ材（８ｃ）で連結一体化したものであり、該コンクリート塊（８ａ、８ｂ）の上面側にアンカーナット（１７）を植設し、前記ボルト（１６）の下端を該アンカーナット（１７）に螺着して立設したことを特徴とする土木構築物用ユニット
【請求項８】
請求項１〜５のいずれかのユニットにおいて、前記基板（１２）が木材をフレーム状に組み立てたものであり、表裏貫通するボルト孔（１９）を設け、前記ボルト（１６）の下端を該ボルト孔（１９）に挿通し、裏側からナット（１８）を螺着して立設したことを特徴とする土木構築物用ユニット
【請求項９】
請求項１〜５のいずれかのユニットにおいて、前記基板（１２）が木材をフレーム状に組み立てたものであり、表裏貫通するボルト孔（１９）を設け、該ボルト孔の下部に下端にフランジを有するフランジ付ナット（２７）を設け、前記ボルト（１６）の下端を該フランジ付ナット（２７）に螺着して立設したことを特徴とする土木構築用ユニット
【請求項１０】
請求項８又は９のユニットにおいて、前記基板（１２）が分解、組み立て自在であることを特徴とする土木構築用ユニット
【請求項１１】
請求項１、５〜１０のいずれかの土木構築用ユニットを、川床の施工面に連続して敷設し、前記井桁状の丸太材（１３）の内部に中詰材を充填してなることを特徴とする沈床
【請求項１２】
請求項２、５〜１０のいずれかの土木構築用ユニットを、斜面の長さ方向に沿って連続して敷設し、前記対向する丸太壁（１４）の間に中詰材を充填してなることを特徴とする擁壁
【請求項１３】
請求項３、５〜１０のいずれかの土木構築用ユニットを、斜面の長さ方向に沿って連続して敷設し、前記丸太壁（１４）の背面を埋め戻してなることを特徴とする擁壁
【請求項１４】
請求項４、５〜１０のいずれかの土木構築用ユニットを、斜面の長さ方向に沿って連続して敷設し、前記対向する丸太壁（１４）と金網壁（２０）の間に中詰材を充填してなることを特徴とする擁壁
【発明の詳細な説明】
【０００１】
【発明の属する技術分野】
本発明は、擁壁、沈床、治山ダムなどの土木構築物を構築するための土木構築物用ユニット、及びこのユニットを用いて構築した沈床、擁壁に関する。
【０００２】
【従来の技術】
例えば、山の斜面や河川の護岸斜面などを保護する擁壁を構築する場合や、治山ダムを構築する場合、従来はコンクリート製のブロックや構造材として鋼材を用いることが多かった。しかし、近年は自然の景観を重視する傾向が強まり、コンクリートや鋼材が外面に露出する土木構築物は好まれない。そこで、例えば特開２０００−２０４５７３号公報などに開示されるように、鋼材などで構築した擁壁の表面に木材を付加するなどの化粧を施すことが提案されている。
【０００３】
また、沈床を構築する場合、古くは木材を現場で組み立てる工法であったが、近年は例えば特開２０００−８３４５号公報などに開示されるように、木材をある程度工場で、底部材、壁部材などの半製品として組み立てておき、これを現場に運搬して組み立てることで、現場での組み立て作業を軽減する工法が提案されている。
【０００４】
【発明が解決しようとする課題】
従来の、擁壁の表面に木材を付加するなどの化粧を施す工法は、鋼材やコンクリートブロックなどの構造材と化粧材である木材とを重複して使用するもので、合理的なものとはいえず、また、重い鋼材やコンクリートブロックを工場から現場に輸送するものであるので、環境負荷の大きな工法である。
【０００５】
沈床の構築においては、工場で木材を組み立てた半製品を現場で組み立てる工法は、現場での省力化はある程度実現できたものの、原料の木材をいったん山から工場に輸送し、さらに工場で製造した半製品を再び山に輸送するものであり、また現場での作業も、省力化されたといってもまだ煩雑な部分もあって不十分なものであった。
【０００６】
本発明は、山で伐採した間伐材などの木材を、現場で容易に組み立てて利用できる土木構築物用ユニット、また擁壁、治山ダム、沈床など種々の土木構築物を容易に構築できるユニットを開発することを課題としてなされたものである。
【０００７】
【課題を解決するための手段】
本願の請求項１の発明は、基板上に丸太材を複数段井桁状に組み上げ、該井桁状の丸太材の交叉部４カ所において基板と各丸太材とを、基板に立設され丸太材を縦方向に貫通するボルトで結合し、一体化したことを特徴とする土木構築物用ユニットである。このユニットは、複数を並べて敷設し内部に土砂などの中詰材を充填することで、沈床、擁壁、治山ダムなどの構築に利用できる。
【０００８】
本願の請求項２の発明は、略四辺形状の基板と、該基板の対向する２辺に丸太材を水平に積み上げて形成した２枚の対向する丸太壁と、該対向する丸太壁を連結する連結材とからなり、各丸太壁の丸太材は、基板に立設され丸太材を縦方向に貫通するボルトで基板と一体化され、前記連結材の両端部は前記ボルトで支持されていることを特徴とする土木構築物用ユニットである。このユニットは斜面に沿って１段又は複数段敷設し、内部に土砂などの中詰材を充填することで、擁壁、治山ダムなどの構築に利用できる。
【０００９】
本願の請求項３の発明は、略四辺形状の基板と、該基板の１辺に丸太材を水平に積み上げて形成した丸太壁と、該丸太壁の背面と前記基板の対向辺側を斜めに連結する連結材とからなり、前記丸太壁の各丸太材は、基板に立設され丸太材を縦方向に貫通するボルトで基板と一体化され、前記連結材の一端は前記ボルトで支持され他端は基板にボルト止めにて支持されていることを特徴とする土木構築物用ユニットである。このユニットは、斜面に沿って１段又は複数段敷設し、背面の地山との間に土砂などの中詰材を充填することで擁壁の構築などに利用できる。
【００１０】
本願の請求項４の発明は、略四辺形状の基板と、該基板の１辺に丸太材を水平に積み上げて形成した丸太壁と、前記基板の該丸太壁の対向する１辺に立設した金網壁と、対向する丸太壁と金網壁とを連結する連結材とからなり、前記丸太壁の各丸太材は、基板に立設され丸太材を縦方向に貫通するボルトで基板と一体化され、前記金網壁は基板上から立設したボルトに結束線などの任意の結合手段で結合され、前記連結材の一端は前記丸太壁側のボルトに他端は前記金網壁側のボルトに支持されていることを特徴とする土木構築物用ユニットである。このユニットは斜面に沿って１段又は複数段敷設され、内部にコンクリートなどの中詰材を充填することで擁壁などの構築に利用できる。
【００１１】
本願の請求項５の発明は、略四辺形状の基板にボルトを立設し、該基板上において、ボルト孔を有する丸太材を該ボルト孔に前記ボルトを挿通して任意形状に組み立て、ボルトの上部をナットで締め付けて基板と丸太材とを一体化してなることを特徴とする土木構築物用ユニットである。基板に立設したボルトをボルト孔に挿通しながら丸太材を組み立てるので、組み立てが容易である。丸太の組み立て形状は必要に応じて任意の形状とすることができる。また、必要に応じて、フラットバーなどの補強部材で補強することができる。
【００１２】
本願の請求項６の発明は、請求項１〜５のいずれかのユニットにおいて、前記基板がコンクリート製で、上面側にアンカーナットを植設したものであり、前記ボルトの下端を該アンカーナットに螺着して立設したことを特徴とする土木構築物用ユニットである。基板がコンクリート製であるので、強度に優れた安定したユニットとなる。上面にアンカーナットが植設されているので、ボルトを用いてユニットを組み立てる作業を容易に行うことができる。
【００１３】
本願の請求項７の発明は、請求項１〜５のいずれかのユニットにおいて、前記基板が複数のコンクリート塊をパイプ材で連結一体化したものであり、該コンクリート塊の上面側にアンカーナットを植設し、前記ボルトの下端を該アンカーナットに螺着して立設したことを特徴とする土木構築物用ユニットである。基板をコンクリート塊をパイプ材で連結一体化したものとすることで、基板が軽量化され、施工が容易となる。
【００１４】
本願の請求項８の発明は、請求項１〜５のいずれかのユニットにおいて、前記基板が木材でフレーム状に組み立てたものであり、表裏貫通するボルト孔を設け、前記ボルトの下端を該ボルト孔に挿通し、裏側からナットを螺着して立設したことを特徴とする土木構築物用ユニットである。基板が木製であるので、軽量で敷設作業が容易となる。ボルト孔が設けられているので、ボルトを用いてユニットを組み立てる作業を容易に行うことができる。
【００１５】
本願の請求項９の発明は、請求項１〜５のいずれかのユニットにおいて、前記基板が木材をフレーム状に組み立てたものであり、表裏貫通するボルト孔を設け、該ボルト孔の下部に下端にフランジを有するフランジ付ナットを設け、前記ボルトの下端を該フランジ付ナットに螺着して立設したことを特徴とする土木構築用ユニットである。ボルト孔にフランジ付ナットを設けておくと、ボルトの立設作業が容易となる。
【００１６】
本願の請求項１０の発明は、請求項８又は９のユニットにおいて、前記基板（１２）が分解、組み立て自在であることを特徴とする土木構築用ユニットである。基板を分解した状態で運搬し、現場で組み立てながら施工することで、揚重機を使用せずに施工でき、深い山中での施工に適する。
【００１７】
本願の請求項１１の発明は、請求項１、５〜１０のいずれかの土木構築用ユニットを、川床の施工面に連続して敷設し、前記井桁状の丸太材（１３）の内部に中詰材を充填してなることを特徴とする沈床である。ユニットを川床に並べて敷設し、中詰材を充填するのみであるので、施工がきわめて簡単である。また、この沈床は木工沈床となるので、コンクリートや鋼材が露出しない自然の景観を呈する。なお、本発明において中詰材は、栗石、砕石、土砂、再生骨材、コンクリートなど、必要に応じて種々のものをしようできる。
【００１８】
本願の請求項１２の発明は、請求項２、５〜１０のいずれかの土木構築用ユニットを、斜面の長さ方向に沿って連続して敷設し、前記対向する丸太壁（１４）の間に中詰材を充填してなることを特徴とする擁壁である。ユニットを斜面の長さ方向に沿って連続して敷設し、対向する丸太壁の間に中詰材を充填すればよいので、施工がきわめて簡単である。擁壁面には丸太が露出し、コンクリートや鋼材が露出しない自然の景観を呈する。なお、ユニットの背面は、必要に応じて埋め戻す。
【００１９】
本願の請求項１３の発明は、請求項３、５〜１０のいずれかの土木構築用ユニットを、斜面の長さ方向に沿って連続して敷設し、前記丸太壁（１４）の背面を埋め戻してなることを特徴とする擁壁である。ユニットを斜面の長さ方向に沿って連続して敷設し、丸太壁の背面を埋め戻せばよいので、施工がきわめて簡単である。擁壁面には丸太が露出し、コンクリートや鋼材が露出しない自然の景観を呈する。
【００２０】
本願の請求項１４の発明は、請求項４、５〜１０のいずれかの土木構築用ユニットを、斜面の長さ方向に沿って連続して敷設し、前記対向する丸太壁（１４）と金網壁（２０）の間に中詰材を充填してなることを特徴とする擁壁である。ユニットを斜面の長さ方向に沿って連続して敷設し、対向する丸太壁と金網壁の間に中詰材を充填すればよいので、施工がきわめて簡単である。擁壁面には丸太が露出し、コンクリートや鋼材が露出しない自然の景観を呈する。なお、ユニットの背面は、必要に応じて埋め戻す。
【００２１】
本発明において、ユニットの素材を「丸太材」と表現しているが、これは最も一般的な素材でもって表現しているのであって、素材としてはいわゆる断面が略円形の「丸太」に限るものではなく、棒状の木材であれば、断面形状は円形の他に四辺形や多角形など種々の形状のもの（例えば、太鼓落とし加工材、バタ角など）を用いることができる。
【００２２】
【発明の実施の形態】
以下、実施例を表した図面に基づいて、本発明を詳細に説明する。図１は実施例のユニット１の斜視図、図２は実施例のユニット２の斜視図、図３は実施例のユニット３の斜視図、図４は実施例のユニット４の斜視図、図５は実施例のユニット５を２つ並べて示す斜視図、図６は基板１０の説明図、図７は基板８の説明図、図８は基板１１の説明図、図９は基板１２の説明図、図１０、１１は木製基板の分解説明図、図１３はコンクリート製基板１０と丸太壁１４の断面説明図、図１４は木製基板１２と丸太壁１４の断面説明図、図１５はフランジ付ナット２７を設けた木製基板１２の断面図、図１６は金網壁２０の断面説明図、図１７は基板１０の連結部の断面図、図１８は沈床及び護岸の説明図、図１９〜２２は擁壁の説明図、図２３は治山ダムの説明図である。
【００２３】
図１のユニット１は、基板１０上に丸太材１３を複数段井桁状に組み上げ、該井桁状に組んだ丸太材１３の４カ所の交叉部において、基板と各丸太材とを丸太材を縦方向に貫通するボルト１６で結合し、一体化している。この基板は図６に示す基板１０を２個連結したものである。基板１０はコンクリート製で、２個の大きな穴を設けてフレーム状の四辺形とし、上面側に６個のアンカーナット１７を埋め込んである。連結部分は、図１７に示すように、連結プレート２２で一体化することが望ましい。連結部レート２２にはボルト孔を設けておき、ボルト１６を基板１０のアンカーナット１７に螺着し、ナット１８で固定する。丸太材１３を一体化するボルト１６の下端はアンカーナット１７に螺着し、上端はナット止めとする。各丸太材１３にはあらかじめボルト孔を設けておく。組み上げる丸太材１３の段数は任意である。
【００２４】
図７に示す基板８は、２個のコンクリート塊８ａと２個のコンクリート塊８ｂとＨ形に加工したパイプ材８ｃからなり、パイプ材８ｃの一部をコンクリート塊８ａ、８ｂに埋め込むことで、全体が一体化されている。この基板８は、あらかじめ型枠にＨ形のパイプ材を取り付けておいて、型枠内にコンクリートを充填する、いわゆる「打ち込み成形」により製造することができる。この基板８は、全体をコンクリート製としたものよりも格段に軽量化され、施工が容易となる。
【００２５】
本発明のユニットにおいて、基板は木製とすることもできる。図９は木製の基板１２の例である。基板１２は木材で四辺形のフレーム状に組み立ててある。表裏貫通するボルト孔１９が６カ所設けられている。コンクリート製の基板は強度に優れるが重量が重く施工性に劣り、木製の基板は強度に劣るが軽量で施工性に優れている。基板をコンクリート製とするか木製とするかは、必要な強度又は施工場所の状況に応じて適宜選択すればよい。
【００２６】
木製の基板は、現場において容易に組み立てられるように、分解、組み立て自在とすることが望ましい。図１０の基板１２ａ、図１１の基板１２ｂは、いずれも容易に組み立てられるように木材を加工したものである。図１２の基板１２ｃは太鼓落とし加工した丸太材２８を３本のフラットバー２９で接続して一体化したものである。フラットバー２９は釘３０で丸太材２８に取り付けている。ボルト孔１９は６箇所設けられている。各木材部品は容易に持ち運ぶことができるので、揚重機を使用しないで、施工することができる。分解した状態で現場に搬入し、施工場所にて、ボルト、ナット、フラットバー、釘等を使用して容易に組み立てることができる。
【００２７】
図２のユニット２は、四辺形状の木製の基板１２と、基板１２の対向する２辺（この場合短辺であるが長辺でも良い）に丸太材１３を水平に積み上げて形成した２枚の対向する丸太壁１４と、対向する丸太壁１４を連結する連結材１５とからなる。各丸太壁１４の丸太材１３は丸太材１３を縦方向に貫通するボルト１６で基板と一体化されている。連結材１５はフラットバーで、両端にボルト孔を設け、該ボルト孔に挿通したボルト１６で両端が支持されている。連結材としては、フラットバーの他ボルト、鉄筋、チェーンや山形鋼などの鋼材も使用できる。積み上げる丸太材の段数は任意で、両側の丸太壁の丸太の段数が異なっていてもよい。
【００２８】
図１３は本発明におけるコンクリート製の基板と丸太壁、連結材を一体化する方法の例を示している。コンクリート製の基板１０の場合、上面側にアンカー１７が植設されているので、ボルト１６の下端をアンカーナット１７に螺着して固定し、ボルトを基板の上面に立設する。各丸太材１３にはあらかじめボルト孔を設け、ボルト孔にボルト１６を挿通しながら積み上げ、ボルト１６の上端にナット１８を締め付けて固定する。連結材１５はフラットバーで、端部に設けたボルト孔にボルト１６を挿通し、端部を支持している。連結材を何段目に設けるかは状況に応じて適宜決定すればよく、また、連結材を複数段に設けても良い。
【００２９】
図１４は本発明における木製の基板と丸太壁、連結材を一体化する方法の例を示している。木製の基板１２にはボルト孔１９を設け、ボルト１６を基板１２のボルト孔１９に挿通し、下側からナット１８で止め、ボルトを基板上面に立設する。各丸太材１３にはあらかじめボルト孔を設け、ボルト孔にボルト１６を挿通しながら積み上げ、ボルト１６の上端にナット１８を締め付けて固定する。連結材１５はフラットバーで、端部に設けたボルト孔にボルト１６を挿通し、端部を支持している。連結材を何段目に設けるかは状況に応じて適宜決定すればよく、また、連結材を複数段に設けても良い。図１４おいて連結材が斜めになっているのは、後述のユニット４（図４）の場合を表しているためである。
【００３０】
図１５に示すように、木製の基板１２にはボルト孔１９の下部にフランジ付ナット２７ａを設けることができる。フランジ付ナット２７はナットの底部にフランジ板２７ａを溶接したもので、フランジ板２７ａはナットが上部に引き抜かれるのを防止する。ボルト１６をフランジ付ナット２７に螺着することで、基板１２の上面に容易に立設することができる。
【００３１】
図３のユニット３は、四辺形状の木製の基板１２と、基板１２の対向する２辺（この場合は長辺であるが短辺でも良い）に丸太材１３を水平に積み上げて形成した２枚の対向する丸太壁１４、１４ａと、対向する丸太壁１４、１４ａを連結する連結材１５とからなる。各丸太壁１４、１４ａの丸太材１３は丸太材１３を縦方向に貫通するボルト１６で基板と一体化されている。連結材１５はフラットバーで、両端にボルト孔を設け、該ボルト孔に挿通したボルト１６で両端が支持されている。一方（背面側）の丸太壁１４は垂直であるが、一方（正面側）の丸太壁１４ａは傾斜しており、丸太壁１４、１４ａの間隔は上方ほど狭くなっている。このように、本発明において、丸太壁は垂直としても良いし、傾斜させても良い。
【００３２】
図４のユニット４は、略四辺形状の木製基板１２と、基板１２の１辺（この場合は長辺であるが短辺でも良い）に丸太材１３を水平に積み上げて形成した丸太壁１４と、丸太壁１４の背面と基板１０の対向辺側を斜めに連結する連結材１５とからなる。丸太壁１４の各丸太材１３は、丸太材１３を縦方向に貫通するボルト１６で基板１２と一体化されている。連結材１５はフラットバーで、その丸太壁１４側の一端はボルト１６で支持され、他端は基板１２にボルト１６とナット１８で固定され、支持されている。
【００３３】
図５のユニット５は、概略正方形のコンクリート基板１１上に丸太材１３を複数段井桁状に組み上げ、井桁状の丸太材１３の交叉部４カ所において基板１１と各丸太材１３とを、丸太材１３を縦方向に貫通するボルト１６で結合し、一体化している。基板１１は、正方形の各辺の中央部をやや凹ませた形状をなし、各辺の中央に鉄筋をＵ字状に突出した連結用フック２３を設けている。
【００３４】
ユニット５は根固め沈床の構築などに使用される。ユニット５を川床などの施工面に縦横に連続して敷設することで施工面を覆い、隣り合うユニット５の連結用フック２３を結束線などで結束し、基板１１の隙間をコンクリートで充填すると基板全体が一体化される。井桁状に組み上げた丸太材１３の内部には栗石、砕石などの中詰材を充填する。
【００３５】
図１８は、本発明の実施例のユニット１、２、７を用いて構築した沈床及び擁壁（護岸）の断面説明図である。同図の中央部は河川の川床となる沈床で、ユニット１を川床を覆うように縦横に連続して敷設し、井桁状の丸太材１３の内部に栗石、砕石などの中詰材２４を充填している。この沈床は、ユニット１を並べて敷設し、内部に中詰材２４を充填すればよいので、容易に施工することができる。
【００３６】
図１８の左側は、ユニット２を斜面に沿って連設し、それを複数段（５段）積み重ねている。ユニット２は正面側の丸太壁が丸太材を４段積み上げ、背面側が３段積み上げて構成されている。正面側と背面側の丸太壁の間には栗石、砕石などの中詰材２４を充填している。図中符号２６は中詰材２４の上部を蓋する丸太蓋材である。
【００３７】
図１８の右側は、１段目にユニット７を斜面に沿って連設し、中詰材２５であるコンクリートを充填し、その上に２段目のユニット７を連設し、中詰材２４である栗石又は砕石を充填したものである。ユニット７は、四辺形状のコンクリート製の基板１０と、基板１０の１辺に丸太材１３を水平に積み上げて形成した傾斜した丸太壁１４と、基板１０の丸太壁１４の対向する１辺に立設した金網壁２０と、対向する丸太壁１４と金網壁２０とを連結する連結材１５とからなる。丸太壁１４の各丸太材１３は、丸太材を縦方向に貫通するボルト１６で基板と一体化されている。このような丸太壁の構成は前記実施例の丸太壁と同様である。金網壁２０は、図１６に示すように、基板１０上から、下端をアンカーナット１７に螺着して立設したボルト１６に、金網を結束線２１などの任意の結合手段で結合されている。連結材１５の一端（正面側）は丸太壁１４のボルト１６に支持され、他端（背面側）は金網壁２０のボルト１６に上下からナット１８で挟んで固定され、支持されている。金網壁に用いる金網は、エキスパンドメタルのような穴の小さい金網が望ましい。
【００３８】
図１９はユニット２を用いた擁壁の断面説明図で、図１８の左側の擁壁と同じ構成になっている。
【００３９】
図２０はユニット６を用いた擁壁の断面説明図である。ユニット６は前記のユニット３と同様に、背面側に垂直の丸太壁１４、正面側に傾斜した丸太壁１４ａを有する。基板はコンクリート製の基板１０を２個接続したもので、幅が前記のユニット３の２倍になっている。内部には栗石、砕石などの中詰材２４が充填されている。
【００４０】
図２１は、ユニット６とユニット４を組み合わせて用いた擁壁の断面説明図である。ユニット６を用いた擁壁部分は図２０と同様である。その上部にユニット４を斜面に沿って連設し、背面に土砂を埋め戻し、それを３段施工している。
【００４１】
図２２は、ユニット７を用いた擁壁の断面説明図で、図１８の右側の斜面と同様の構成となっている。ユニット７はコンクリート製の基板１０の対向する２辺上に正面側の丸太壁１４と背面側の金網壁２０を立設したもので、ユニット７を斜面に沿って連設した後、丸太壁１４と金網壁２０の間に中詰材２５であるコンクリートを充填し、硬化させたものである。
【００４２】
図２３はユニット１、２を用いた治山ダムの断面説明図である。同図の右側が上流側、左側が下流側となっている。基本的にダム中央の主要部をユニット１を積み重ねて構成し、表面側の斜面と最上部、及び背面側の一部をユニット２を用いて構成している。ユニット１、２の内部には栗石、砕石などの中詰材２４を充填している。
【００４３】
【発明の効果】
本発明のユニットは基板、丸太材、連結材、ボルトなどによって現場で容易に組み立てることができるので、現場近くで伐採した間伐材などの丸太材を現場で組み立て使用でき、従来のように、現場近くで伐採した丸太材を工場に運搬し、加工後に再び現場に運搬する無駄を省くことができる。また、間伐材の有効利用を促進する。
【００４４】
また、本発明のユニットは、各種の用途に用いる種々のユニットとすることができるが、共通の基板を用いることができるので、基板の製造コストを安くすることができる。複数の基板をつなぎ合わせることで、大きなユニットを得ることもできる。
【００４５】
さらに、本発明のユニットは、施工部分に並べて施工し、内部に充填材を充填することで、沈床、擁壁、治山ダムなどの土木構築物を容易に施工でき、施工後の沈床、擁壁などの景観は丸太材が露出した自然に近い景観を呈する。
【図面の簡単な説明】
【図１】実施例のユニット１の斜視図である。
【図２】実施例のユニット２の斜視図である。
【図３】実施例のユニット３の斜視図である。
【図４】実施例のユニット４の斜視図である。
【図５】実施例のユニット５を２つ並べて示す斜視図である。
【図６】基板１０の説明図である。
【図７】基板８の説明図である。
【図８】基板１１の説明図である。
【図９】基板１２の説明図である。
【図１０】木製基板１２ａの分解説明図である。
【図１１】木製基板１２ｂの分解説明図である。
【図１２】木製基板１２ｃの説明図である。
【図１３】コンクリート製基板１０と丸太壁１４の断面説明図である。
【図１４】木製基板１２と丸太壁１４の断面説明図である。
【図１５】フランジ付ナット２７を設けた木製基板１２の断面図である。
【図１６】金網壁２０の断面説明図である。
【図１７】基板１０の連結部の断面図である。
【図１８】沈床及び護岸の断面説明図である。
【図１９】擁壁の断面説明図である。
【図２０】擁壁の断面説明図である。
【図２１】擁壁の断面説明図である。
【図２２】擁壁の断面説明図である。
【図２３】治山ダムの断面説明図である。
【符号の説明】
１  土木構築物用ユニット
２  土木構築物用ユニット
３  土木構築物用ユニット
４  土木構築物用ユニット
５  土木構築物用ユニット
６  土木構築物用ユニット
７  土木構築物用ユニット
８  基板
１０  基板
１１  基板
１２  基板
１３  丸太材
１４  丸太壁
１５  連結材
１６  ボルト
１７  アンカーナット
１８  ナット
１９  ボルト孔
２０  金網壁
２１  結束線
２２  連結プレート
２３  連結用フック
２４  中詰材
２５  中詰材
２６  丸太蓋材
２７  フランジ付ナット
２８  丸太材
２９  フラットバー
３０  釘
【図１】
2004270266.tif 000003
【図２】
2004270266.tif 000004
【図３】
2004270266.tif 000005
【図４】
2004270266.tif 000006
【図５】
2004270266.tif 000007
【図６】
2004270266.tif 000008
【図７】
2004270266.tif 000009
【図８】
2004270266.tif 000010
【図９】
2004270266.tif 000011
【図１０】
2004270266.tif 000012
【図１１】
2004270266.tif 000013
【図１２】
2004270266.tif 000014
【図１３】
2004270266.tif 000015
【図１４】
2004270266.tif 000016
【図１５】
2004270266.tif 000017
【図１６】
2004270266.tif 000018
【図１７】
2004270266.tif 000019
【図１８】
2004270266.tif 000020
【図１９】
2004270266.tif 000021
【図２０】
2004270266.tif 000022
【図２１】
2004270266.tif 000023
【図２２】
2004270266.tif 000024
【図２３】
2004270266.tif 000025